(57)【要約】      （修正有）【課題】使用目的に適した形状に変形し、多目的に使用することができる多目的バッグを提供する。【解決手段】矩形からなる折り曲げ可能なシート状の本体１短辺側の中央部にコの字型の持ち手２を有し、長編側に短辺、長辺のいずれを二つ折しても向かい合う辺を結合できるように対称に配置した結合部材４と、長辺側中央部に襠を形成するための結合部材６ａ、６ｂを有する分離しない一つのパーツからなり、本体シートの折り曲げ方法、結合部材の結合方法によって、１枚のシート状から複数の立体的なバッグ状に組み立てることができる。【選択図】図１
0003204174.tif 000002
【実用新案登録請求の範囲】
【請求項１】
矩形からなる折り曲げ可能なシート状の本体短辺側の中央部にコの字型の持ち手を有し、長編側に短辺、長辺のいずれを二つ折しても向かい合う辺を結合できるように対称に配置した結合部材と、長辺側中央部に襠を形成するための結合部材を有する分離しない一つのパーツからなり、本体シートの折り曲げ方法、結合部材の結合方法によって、１枚のシート状から複数の立体的なバッグ状に組み立てることができることを特徴とした多目的バッグ。
【考案の詳細な説明】
【技術分野】
【０００１】
本考案は、様々な形状に組み立てることにより多目的に使えるバッグに関する。
【背景技術】
【０００２】
展開可能で多目的に使用できるバッグは、従来からある（例えば、特許文献１、特許文献２）。いずれのバッグも、スライドファスナーなどの結合部材を用いて展開可能な構造にしている。
【特許文献１】特開２００５−３５００８５号公報
【特許文献２】特開２０１５−７３７６７号公報
【考案の概要】
【考案が解決しようとする課題】
【０００３】
上記のような展開可能で多目的に使用できるバッグは、バッグとして物を運ぶ以外の限定的な目的に対応するための構造であり、一種類の決まった形にしか組み立てることができなかった。
【０００４】
本考案は、このような従来の構成が有していた問題を解決しようとするものであり、複数の結合方法を有し、それによって複数の組み立て状態を有することで多目的なバッグを実現することを目的とする物である。
【課題を解決するための手段】
【０００５】
本考案は、矩形からなる折り曲げ可能なシート状の本体短辺側の中央部にコの字型の持ち手を有し、長編側に短辺、長辺のいずれを二つ折しても向かい合う辺を結合できるように対称に配置した結合部材と、長辺側中央部に襠を形成するための結合部材を有する分離しない一つのパーツからなる。
【０００６】
この考案の本体に使用するシート素材は、６号帆布と同等の硬さを持つ生地、合成樹脂、皮革を使用し、大きさは、長辺８０ｃｍから１５０ｃｍ、短辺５０ｃｍから１００ｃｍが好ましい。
この考案の持ち手は、本体シートと同素材を３ｃｍから４ｃｍ幅のテープ状に加工した物もしくは、幅３ｃｍから４ｃｍのテーブ状に織られた織物を使用し、長さ４５ｃｍから７０ｃｍであることが好ましい。
この考案の結合部材は、上下、左右対称となるように設置し、長辺側、短辺側いずれの中央から二つ折しても、向かい合う辺同士を結合することができ、結合部材にはスライドファスナー、スナップファスナー、ハトメ及び紐、ボタン及びボタンホールを使用することが好ましい。
結合部材にハトメ及び紐を使用する場合のみ、紐を分離するパーツとして構成することが好ましい。
【考案の効果】
【０００７】
本考案は、平面に展開した状態から本体シートの折り曲げの向き、結合部材の結合位置や距離、襠の有無によって、形状の異なる立体状態に変形することができる構造を有している。
平面状態において、敷物や養生などとして使用することができ、小さく折り畳み収納、携帯することができる。
【０００８】
長辺方向を二つ折し、向かい合う結合部材を結合すると襠の無いトートバッグとなり、この状態から底部両端を側面から見て台形状に折り曲げて襠形成用の結合部材を結合すると襠付のトートバッグとなる。
トートバッグ形状に組み立てた開口部付近のみ結合部材を開くと、開口が大きくなり、大型の荷物が入れやすくなり、底側のみ結合部材を開くと、長尺物を貫通させて持ち運ぶことができる。
片側のみ結合部材を開いた状態では、果実の収穫、山菜採りや薪拾いなどの採取行動や、洗濯物の取り込みも効果的に行え、結合部材を閉じて運んだ後、展開すれば採取物の選別や洗濯物の折り畳みが行える。
スーパーなどの会計の際、襠のみ形成した状態で両側の結合部材を開いて会計用のレジカゴに入れて会計してもらえば、会計が終了次第、結合部材を閉じるだけで、買い物袋に入れ替える必要がなくなる。
口部から入れにくい重量物などを運ぶ際は、展開状態の中央に荷物を置いた状態からバッグ状に組み立てることもできる。
【０００９】
本体シートはトートバッグ状に組み立てた際に自立させることができ、箱様の機能を有するため、ランドリーバッグやゴミ入れ、整理ボックスなどの用途で使うことができる。
短辺側中央で二つ折し、向かい合う結合部材を結合すれば、長細い円筒状なり、長尺物の運搬に利用でき、更に長辺側中央で二つ折すると、口部を２カ所持つ小型のバッグとなる。
複数の同一サイズのものを長辺を揃えて並べ、向かい合う結合部材を結合することで連結して大型の重量物などを複数人で運ぶために使うこともできる。
【００１０】
以上のような構成により、本考案は、運搬、採集、保管、養生など様々な目的に利用することができる。
【図面の簡単な説明】
【００１１】
【図１】展開状態の斜視図
【図２】長辺方向を二つ折した状態図
【図３】図３からファスナーを閉じた状態図
【図４】襠有りのトートバッグに組み立てた状態図
【図５】ファスナーを口部から開いた状態図
【図６】ファスナーを底部から開いた状態図
【図７】短辺方向を二つ折してファスナーを閉じた状態図
【図８】図７を長辺方向に二つ折した状態図
【図９】二つを結合させた状態図（展開図）
【図１０】結合部材をスナップファスナーにした場合の図
【図１１】結合部材をハトメと紐にした場合の図
【考案を実施するための形態】
【００１２】
以下に、本考案を実施するための形態について図を用いて詳細に説明する。なお、この実施例により本考案が限定されるものではない。
【実施例】
【００１３】
図１は、本考案実施に係る展開状態の斜視図であり、矩形からなるシート状の本体１の短辺側の中央部に持ち手２、長辺側に上下、左右が対称となるように側面を結合させるための結合部材であるスライドファスナー４、長辺側の中央部に襠を形成するための固定手段である雌雄二対のスナップファスナー６ａ、６ｂを有している。
【００１４】
スライドファスナー４は、図５、図６で示しているように上下どちらからでも開き、図１のように展開するために、完全に分離することができる逆開オープンファスナーを用いる。この時蝶棒部は口側に配置する。
スライドファスナー４は、図３のように全閉しても底側に隙間が空く場合と、隙間を作らず長辺側が全て閉じる場合がある。側面が全て閉じる場合は、スナップファスナー６ａの取り付け位置と向きを変更する。この時の折返し部５の形状は三角状になる。
また、スナップファスナー６ｂの取り付け位置によって、折返し部５の大きさを変更でき、折り返し部５の面積を大きくするほど襠幅を広くできる。
【００１５】
図２のように長辺側の中央で二つ折し、向かい合うスライドファスナー４を閉じることで、図３のような襠の無いトートバッグ状に変形する。更に底部両端を側面から見て台形状に折返し５、スナップファスナー６ａ及び６ｂを結合すると図４のように襠のあるトートバッグ状に組み立てられる。
また、短辺側の中央で二つ折し、向かい合うスライドファスナー４を閉じることで、図７のような円筒状に変形し、これを更に長辺側中央で二つ折することで、図８のような口部を二カ所持つバッグに変形する。
更に、図９のように、同一の物を二つ以上連結させることができる。
【００１６】
結合部材は、スライドファスナー４だけでなく、図１０のようにスナップファスナーやボタン及びボタンホールで構成したり、図１１のように取付けたハトメに紐を通し、靴紐のように結合したりすることができる。
【産業上の利用可能性】
【００１７】
本考案は、平面状に展開できるため、小さく折り畳んで収納、携帯することができ、荷物や目的に応じた形状に変化させることで、運搬、採集、保管、養生など、多目的に利用することができる。
【符号の説明】
【００１８】
１      本体
２      持ち手
３      ファスナースライダー
４      スライドファスナー
５      折返し部
６      スナップファスナー（メス）
７      スナップファスナー（オス）
８      ハトメ
９      紐
【図１】
0003204174.tif 000003
【図２】
0003204174.tif 000004
【図３】
0003204174.tif 000005
【図４】
0003204174.tif 000006
【図５】
0003204174.tif 000007
【図６】
0003204174.tif 000008
【図７】
0003204174.tif 000009
【図８】
0003204174.tif 000010
【図９】
0003204174.tif 000011
【図１０】
0003204174.tif 000012
【図１１】
0003204174.tif 000013